(57)【要約】【課題】像域分離の精度に対する諸要求に対応して地肌除去部と像域分離部との前後配置を選択可能とすることにより、多様な画質要求に対応すること。【解決手段】シェーディング処理部１０１、地肌除去部１０２を含む第１の画像処理部３０と、画像信号の文字線画領域と絵柄領域を識別する像域分離部１０４と、像域分離部からの画像信号に対してフィルタ演算処理するフィルタ部１０６を含む第２の画像処理部４０と、を備えた画像処理装置であって、画像信号の経路として、シェーディング処理部、地肌除去部、像域分離部、フィルタ部の順に接続される第１の経路と、シェーディング処理部、像域分離部、地肌除去部、フィルタ部の順に接続される第２の経路と、を形成し、第１の経路と第２の経路とを切替手段１１０，１１１，１１２によって切り替えていずれか一方の経路を選択する。像域分離の精度要求が高い場合に第２の経路を選択すること。【選択図】図１
2006020064.tif 000002
【特許請求の範囲】
【請求項１】
画像入力装置からの画像信号に対してシェーディング補正を行うシェーディング処理部、画像信号の地肌検出及び地肌補正で地肌除去処理を行う地肌除去部、を含む第１の画像処理部と、
画像信号の文字線画領域と絵柄領域を識別する像域分離部と、
前記像域分離部からの画像信号に対してフィルタパラメータを用いてフィルタ演算処理するフィルタ部、前記フィルタ部からの画像信号に変倍処理及び２値化処理を行う変倍処理・２値化処理部、を含む第２の画像処理部と、を備えた画像処理装置であって、
前記像域分離部で像域分離された画像信号に対して前記地肌除去部で地肌除去するように接続回路を構成する
ことを特徴とする画像処理装置。
【請求項２】
画像入力装置からの画像信号に対してシェーディング補正を行うシェーディング処理部、画像信号の地肌検出及び地肌補正で地肌除去処理を行う地肌除去部、を含む第１の画像処理部と、
画像信号の文字線画領域と絵柄領域を識別する像域分離部と、
前記像域分離部からの画像信号に対してフィルタパラメータを用いてフィルタ演算処理するフィルタ部、前記フィルタ部からの画像信号に変倍処理及び２値化処理を行う変倍処理・２値化処理部、を含む第２の画像処理部と、を備えた画像処理装置であって、
画像信号の経路として、前記シェーディング処理部、前記地肌除去部、前記像域分離部、前記フィルタ部、前記変倍処理・２値化処理部の順に接続される第１の経路と、前記シェーディング処理部、前記像域分離部、前記地肌除去部、前記フィルタ部、前記変倍処理・２値化処理部の順に接続される第２の経路と、を形成し、
前記第１の経路と前記第２の経路とを切替手段によって切り替えていずれか一方の経路を選択する
ことを特徴とする画像処理装置。
【請求項３】
請求項２において、
前記文字線画領域と絵柄領域を識別する像域分離の精度要求が高い場合、前記第２の経路を選択することを特徴とする画像処理装置。
【請求項４】
請求項１、２又は３において、
前記画像処理装置はＡＳＩＣで構成することを特徴とする画像処理装置。
【発明の詳細な説明】
【技術分野】
【０００１】
本発明は、スキャナなどの画像入力装置から出力された画像信号に対して処理を施す画像処理装置に係り、特に、画像信号に対する地肌除去部と像域分離部の接続構成に関する。
【背景技術】
【０００２】
図２は、スキャナからの画像信号に対して画像処理を施す画像処理装置の全体構成を示す従来技術の図であり、図３は図２に示す画像処理装置の内部構成を示す図である。
【０００３】
図２と図３のブロック図によると、スキャナからのＲＧＢ画像信号は、画像処理前半部３０と画像処理後半部４０と像域分離部１０４とＰＣＩインタフェースコントローラ系５０とからなる画像処理装置１０で画像処理を施された後にＹＭＣＫ画像信号としてコントローラ２０に入力され、所要の処理をされてメモリに一旦記憶される。次いで、メモリから読み出されたＹＭＣＫ画像信号がＰＣＩインタフェースコントローラ系５０を通ってプリンタへの書き込み信号となる。
【０００４】
画像処理前半部３０には地肌検出部と地肌補正部を有する地肌除去部１０２が存在し、画像処理前半部で３０で他の画像処理や地肌除去を施された画像信号は、原稿画像の文字線画領域と絵柄領域を識別する画像分離部１０４に入力されて所要の処理を施された後に画像処理後半部４０に引き継がれるようになっている。
【発明の開示】
【発明が解決しようとする課題】
【０００５】
しかしながら、上述した従来技術を示す画像処理装置の回路構成は、図３に示すように、地肌除去部１０２をシェーディング部１０１の後であって像域分離部１０４の前に配置しており、地肌除去された画像信号を用いて、像域分離１０４を行うことにより、像域分離の精度を低下させる可能性がある（その理由は詳細に後述する）。
【０００６】
上述したように、図３に示すような地肌除去部を像域分離部の前に配置すると、像域分離の精度を向上させる観点からは課題を生じることとなる。
【０００７】
本発明の目的は、地肌除去部を像域分離部の後流側に配置して像域分離の精度向上を図るとともに、像域分離の精度に対する諸要求に対応して地肌除去部と像域分離部との前後配置を選択可能とすることにより、多様な画質要求に対応することのできる画像処理装置を提供することにある。
【課題を解決するための手段】
【０００８】
前記課題を解決するために、本発明は主として次のような構成を採用する。  
画像入力装置からの画像信号に対してシェーディング補正を行うシェーディング処理部、画像信号の地肌検出及び地肌補正で地肌除去処理を行う地肌除去部、を含む第１の画像処理部と、画像信号の文字線画領域と絵柄領域を識別する像域分離部と、前記像域分離部からの画像信号に対してフィルタパラメータを用いてフィルタ演算処理するフィルタ部、前記フィルタ部からの画像信号に変倍処理及び２値化処理を行う変倍処理・２値化処理部、を含む第２の画像処理部と、を備えた画像処理装置であって、画像信号の経路として、前記シェーディング処理部、前記地肌除去部、前記像域分離部、前記フィルタ部、前記変倍処理・２値化処理部の順に接続される第１の経路と、前記シェーディング処理部、前記像域分離部、前記地肌除去部、前記フィルタ部、前記変倍処理・２値化処理部の順に接続される第２の経路と、を形成し、前記第１の経路と前記第２の経路とを切替手段によって切り替えていずれか一方の経路を選択する構成とする。
【０００９】
また、前記画像処理装置において、前記文字線画領域と絵柄領域を識別する像域分離の精度要求が高い場合、前記第２の経路を選択する構成とする。
【発明の効果】
【００１０】
本発明によれば、画像処理装置の回路規模をそれほど増やすことなく、同様なＡＳＩＣを使用して、他機種、多様な画質要求に対応することができる。
【００１１】
また、簡易な構成の採用によって、文字線画領域と絵柄領域の識別を適切に行って高い分離精度を得るとともに、出力画像から不要な地肌を除去することができる。
【発明を実施するための最良の形態】
【００１２】
本発明の実施形態に係る画像処理装置について、図１〜図３を参照しながら以下詳細に説明する。図１は本発明の実施形態に係る画像処理装置における内部構成の接続関係を示す図である。図２はスキャナからの画像信号に対して画像処理を施す画像処理装置の基本構成を示す図であり、図３は図２に示す画像処理装置の内部構成を示すブロック図である。
【００１３】
ここで、１０は画像処理装置、２０はコントローラ、３０は画像処理前半部、４０は画像処理後半部、５０はＰＣＩインタフェースコントローラ系、１０１はシューディング部、１０２は地肌除去部、１０３はドット＆縦スジ補正部、１０４は像域分離部、１０５は内部パターン発生部、１０６はフィルタ、１０７は変倍処理＆２値化部、２０１は地肌検出部、２０２は地肌補正部、をそれぞれ表す。
【００１４】
まず、画像処理装置の背景技術について図３を参照しながら説明する。スキャナからのＲＧＢ画像信号は画像処理前半部３０に入力され、シェーディング部１０１でシェーディング補正され、地肌検出及び地肌補正によって地肌除去（地肌を除去することは地肌処理の一具体例である）され、ドット＆縦スジ補正される。次いで、像域分離部１０４において画像の文字線画領域と絵柄領域が識別された後に、画像処理後半部４０に送られ、フィルタ１０６でフィルタ演算された後に変倍処理＆２値化処理１０７されてＹＭＣＫ画像信号として出力される。
【００１５】
ここで、フィルタ１０６では、像域分離部１０４で文字線画か絵柄（写真）かが識別分離されたときの分離信号に基づいて、文字線画の場合には文字線画がくっきりするようにフィルタパラメータが設定され、絵柄の場合には絵柄が滑らかになるようにフィルタパラメータが設定される。また、フィルタ１０６のパラメータは、内部パターン発生部１０５から発生させるパターンとそのパターンによりプリント結果によって予め設定される。図３において、像域分離されたＲＧＢ画像信号は、内部パターン発生部１０５からのパターンに切り替わってフィルタ１０６に入力されるように回路構成されている。
【００１６】
図３に示す背景技術では、地肌除去部１０２で地肌除去されたＲＧＢ画像信号が像域分離部１０４で文字線画領域か絵柄領域かが識別されている。すなわち、地肌除去された後に像域分離処理を実行している。ここで、像域分離部１０４で像域分離するときの識別条件又は判定条件となる信号として、網点（周期的な点の集合）、白地、エッジ等が用いられ、マトリックス処理されて、文字か絵柄かが判定されている。例えば単純化して云えば、網点が検知されると文字ではなくて絵柄であると判定される。一方、画像信号における網点は地肌除去において地肌除去の対象となってしまうことも有り得、絵柄を表している網点が地肌除去部１０２で除去されるおそれもある。したがって、地肌除去された画像信号を用いて像域分離１０４を実行すると、像域分離の精度を低下させる可能性がある。
【００１７】
そこで、本発明の実施形態に係る画像処理装置は、像域分離の精度向上の観点で像域分離された画像信号に対して地肌除去する接続構成とするとともに、特定の条件の元において、像域分離した画像信号に対して地肌除去を行うか地肌除去した画像信号に対して像域分離を行うかを選択し得るように回路配置することを特徴とする。
【００１８】
図１に本実施形態の回路構成を示しているが、基本的には、地肌除去部１０２をシェーディング部と像域分離部１０４の間に配置するか、地肌除去部１０２を像域分離部１０４とフィルタ１０６の間に配置するかを切替手段１１０，１１１，１１２によって特定条件下で選択して使用することができるようにするものである。また、切替手段は上位装置（例えば、ＣＰＵ）からの指示によるレジスタの設定によって切り替えられるものである。
【００１９】
図１において、切替手段１１０，１１１，１１２を一方側に切り替えると点線のルートが形成されて、地肌除去された後に像域分離処理するルートとなり、切替手段１１０，１１１，１１２を他方側に切り替えると一点鎖線のルートが形成されて、像域分離処理された後に地肌除去するルートとなる。
【００２０】
図１で一点鎖線ルートが形成されて像域分離処理された後に地肌除去する回路構成においては、地肌除去を像域分離の前流で行うことによって像域分離の精度が低下するという不都合を無くするものであり、さらに、新聞地の文字検出、網点検出、白地検出が行えるようになる。図１において、像域分離部１０４は、入力された原稿画像の文字領域と絵柄領域を識別し、地肌除去部１０２は、入力された画像信号に対して地肌除去量を算出し、地肌除去量に基づいて地肌除去を行い、出力画像から不要な地肌を除去する。
【００２１】
また、図１に示す画像処理前半部３０と画像処理後半部４０と像域分離部１０４は、ＡＳＩＣ（Ａｐｐｌｉｃａｔｉｏｎ  Ｓｐｅｃｉｆｉｅｄ  ＩＣ）の構成要素であって、図３に示す構成との対比で云えば、切替手段とその配線が余分に必要とするだけであり、特別な画像処理回路を余分に追加するものではない。
【００２２】
図１に示す本実施形態に係る画像処理装置の回路構成を具体的に説明する。すなわち、地肌除去部１０２への入力信号は、シェーディング処理部１０１の出力（１）と、像域分離部１０４後の出力信号（３）との２つの信号があり、地肌除去部への入力は、画像処理装置にに設けたレジスタの設定（この設定は上位のＣＰＵで指示される）によって、２つの信号の一方の信号が選択できるようになっていて、高い像域分離の精度要求に対しても（地肌除去を像域分離後に実行する回路構成）、回路規模が増やさずに実現できる。
【００２３】
また、地肌除去部１０２の出力信号は、像域分離前のドット＆縦スジ補正部１０３（４）と、像域分離後のフィルタ（４）とに入力される。地肌除去部１０２の出力先がレジスタの設定によって選択できるようになって、高い像域分離の精度要求に対しても（地肌除去を像域分離後に実行する回路構成）、回路規模が増やさずに実現できる。
【００２４】
また、地肌除去部１０２は、シェーディング部１０１→地肌除去部１０２→像域分離部１０４のパスと、像域分離部１０４→地肌除去部１０２→フィルタ１０６のパスと、のいずれかを選択できるようになっている。この２つのパスはレジスタの設定によって、切替手段１１０，１１１，１１２を介して切り替えられるようになっている。このような構成の採用によって、回路の規模を増やさずに、多機種、多様な画質要求に対応することができる。
【図面の簡単な説明】
【００２５】
【図１】本発明の実施形態に係る画像処理装置における内部構成の接続関係を示す図である。
【図２】スキャナからの画像信号に対して画像処理を施す画像処理装置の基本構成を示す図である。
【図３】図２に示す画像処理装置の内部構成を示すブロック図である。
【符号の説明】
【００２６】
１０  画像処理装置
２０  コントローラ
３０  画像処理前半部
４０  画像処理後半部
５０  ＰＣＩインタフェースコントローラ系
１０１  シューディング部
１０２  地肌除去部
１０３  ドット＆縦スジ補正部
１０４  像域分離部
１０５  内部パターン部
１０６  フィルタ
１０７  変倍処理＆２値化部
１１０，１１１，１１２  切替手段
２０１  地肌検出部
２０２  地肌補正部
【図１】
2006020064.tif 000003
【図２】
2006020064.tif 000004
【図３】
2006020064.tif 000005